(57)【要約】      （修正有）【課題】組み立て等の作業が容易で、軽量化することが可能な組立式透光照明装置を提供する。【解決手段】本体部の縁に複数の有孔片を設けた板材を折り曲げることにより、本体部が四角筒状本体２１に形成されるとともに、四角筒状本体２１の上端に有孔片が重なって、光源４を出し入れするための貫通孔を有する蓋部２２が形成される。蓋部２２が形成されたときに有孔片が重なった状態を保持するための留め具３を通す小孔を有しており、最上段と最下段となる有孔片の小孔が、その間の有孔片の小孔より径が大きいものとすることができ、また、本体部の縁に底部片を設け、各底部片を折り曲げることにより底部が形成される。さらに、隣接する底部片間に跨る切込みを設け、四角筒状本体２１の各角部の下方に延びる脚２３ａが形成される。【選択図】図６
0003162613.tif 000002
【実用新案登録請求の範囲】
【請求項１】
本体部（１１）の縁に複数の有孔片（１２１〜１２４）を設けた板材（１）を折り曲げることにより、本体部（１１）が四角筒状本体（２１）に形成されるとともに、四角筒状本体（２１）の上端に前記有孔片（１２１〜１２４）が重なって、光源（４）を出し入れするための貫通孔（２４）を有する蓋部（２２）が形成されるようにしたことを特徴とする組立式透光照明装置。
【請求項２】
板材（１）に四角筒状本体（２１）の各面の上端辺に対応する有孔片（１２１〜１２４）が設けられ、各有孔片（１２１〜１２４）は、蓋部（２２）が形成されたときに有孔片（１２１〜１２４）が重なった状態を保持するための留め具（３）を通す小孔（１４ｂ）を有しており、最上段と最下段となる有孔片の小孔（１４ｂ）が、その間の有孔片の小孔（１４ｂ）より径が大きいものとしている請求項１記載の組立式透光照明装置。
【請求項３】
板材（１）の本体部（１１）の有孔片（１２１〜１２４）を設けた縁の反対側の縁に複数の底部片（１３１〜１３４）を設け、各底部片（１３１〜１３４）を折り曲げることにより底部（２３）が形成されるようにしており、さらに、隣接する底部片間に跨る切込み（１６ｂ）を設け、四角筒状本体（２１）の各角部の下方に延びる脚（２３ａ）が形成されるようにしている請求項１又は２記載の組立式透光照明装置。
【考案の詳細な説明】
【技術分野】
【０００１】
この考案は、行燈等として利用される組立式透光照明装置に関するものである。
【背景技術】
【０００２】
従来の組み立て式の行燈等としては、特許文献１に記載の組立式透光照明装置がある。この装置は、複数本の支柱部材、縦桟、横桟、中桟、半透明シート等の部材を組み合わせたもので、行燈形や屏風形の透光照明装置を構成でき、使用しないときには、分解して収納することができるようになっている。
【０００３】
しかし、この組立式透光照明装置は、多数の部材から構成されているため、組み立てや分解の作業に手間取り、また、軽量化することも困難であった。
【先行技術文献】
【特許文献】
【０００４】
【特許文献１】実用新案登録第３１３４９５６号公報
【考案の概要】
【考案が解決しようとする課題】
【０００５】
そこで、この考案は、組み立て等の作業が容易で、軽量化することが可能な組立式透光照明装置を提供することを課題とする。
【課題を解決するための手段】
【０００６】
前記課題を解決するため、この考案は次のような技術的手段を講じている。
【０００７】
この考案の組立式透光照明装置は、本体部１１の縁に複数の有孔片１２１〜１２４を設けた板材１を折り曲げることにより、本体部１１が四角筒状本体２１に形成されるとともに、四角筒状本体２１の上端に前記有孔片１２１〜１２４が重なって、光源４を出し入れするための貫通孔２４を有する蓋部２２が形成されるようにしたものとしている。
【０００８】
さらに、板材１に四角筒状本体２１の各面の上端辺に対応する有孔片１２１〜１２４が設けられ、各有孔片１２１〜１２４は、蓋部２２が形成されたときに有孔片１２１〜１２４が重なった状態を保持するための留め具３を通す小孔１４ｂを有しており、最上段と最下段となる有孔片の小孔１４ｂが、その間の有孔片の小孔１４ｂより径が大きいものとすることができる。
また、板材１の本体部１１の有孔片１２１〜１２４を設けた縁の反対側の縁に複数の底部片１３１〜１３４を設け、各底部片１３１〜１３４を折り曲げることにより底部２３が形成されるようにしており、さらに、隣接する底部片間に跨る切込み１６ｂを設け、四角筒状本体２１の各角部の下方に延びる脚２３ａが形成されるようにしたものとすることができる。
【考案の効果】
【０００９】
この考案の組立式透光照明装置は、上述のような構成を有しており、組み立て等の作業が容易なものとなっている。また、板材１を合成樹脂で構成することができるため、軽量化にも適しており、蓋部２２が複数の有孔片１２１〜１２４が重なって形成されているため軽量でも丈夫である。
【００１０】
板材１に四角筒状本体２１の各面の上端辺に対応する有孔片１２１〜１２４が設けられ、各有孔片１２１〜１２４は、蓋部２２が形成されたときに有孔片１２１〜１２４が重なった状態を保持するための留め具３を通す小孔１４ｂを有しており、最上段と最下段となる有孔片の小孔１４ｂが、その間の有孔片の小孔１４ｂより径が大きいものとすれば、スムーズに留め具３を差し込んでいくことや、抜き始めることができ、いったん留め具３を差し込むと、中間の２つの有孔片の小孔１４ｂにしっかりと係合して、安定した保持状態が得られる。
板材１の本体部１１の有孔片１２１〜１２４を設けた縁の反対側の縁に複数の底部片１３１〜１３４を設け、各底部片１３１〜１３４を折り曲げることにより底部２３が形成されるようにしており、さらに、隣接する底部片間に跨る切込み１６ｂを設け、四角筒状本体２１の各角部の下方に延びる脚２３ａが形成されるようにすれば、底部２３の脚２３ａの内側に孔が生じるため、この孔から空気が入り、上方の貫通孔２４から抜けて、光源４の熱を逃がすことができ、安全に使用することができる。
【図面の簡単な説明】
【００１１】
【図１】板材の平面図である。
【図２】四角筒状本体の底面図である。
【図３】四角筒状本体を形成した状態の斜視図である。
【図４】蓋部を形成する途中の状態の斜視図である。
【図５】蓋部に留め具を取り付ける様子を示す斜視図である。
【図６】組立式透光照明装置に光源を取り付ける様子を示す斜視図である。
【図７】組立式透光照明装置を扁平に降り畳んだ状態の正面図である。
【考案を実施するための形態】
【００１２】
以下、この考案の好適な実施形態を、図面を参照して説明する。
【００１３】
この組立式透光照明装置は、本体部１１の縁に複数の有孔片１２１〜１２４を設けた板材１を折り曲げることにより、本体部１１が四角筒状本体２１に形成されるとともに、四角筒状本体２１の上端に前記有孔片１２１〜１２４が重なって、光源４を出し入れするための貫通孔２４を有する蓋部２２が形成されるようにしている。
【００１４】
板材１は、図１に示したような略長方形のもので、ポリプロピレン等の適宜の合成樹脂からなり、透光性を有しており、行燈としてふさわしい各種の模様や文字、色彩を施したものとすることができる。板材１には、左右方向の折り目線により本体部１１の上側と下側の縁が形成され、そして縦方向の折り目線により本体部１１が４つの部分に区画され、これら各部分の上側に有孔片１２１〜１２４、下側に底部片１３１〜１３４が位置している。なお、図１においては、折り目線を破線で示している。有孔片１２１〜１２４や底部片１３１〜１３４は、組み立て後の強度の点から４つ設けることが望ましいが、３つ以下であってもよい。
【００１５】
各有孔片１２１〜１２４は、組み立て時に蓋部２２を構成するものであり、縦方向の直線状の切り込みにより区画された略正方形のもので、内側に直径１２ｃｍ程度の円形の孔１４ａが設けられている。各有孔片１２１〜１２４は、蓋部２２が形成されたときに有孔片１２１〜１２４が重なった状態を保持するための留め具３を通す小孔１４ｂを有している。これらの小孔１４ｂは、各有孔片１２１〜１２４に４つずつ設けられており、それぞれ蓋部２２を形成したときに重なって貫通孔２４となるようにしている。
【００１６】
図１中、板材１の中央より左側の２つの各有孔片１２１，１２２には、上側の両端に短いフラップ１５ａが設けられており、右側の２つの各有孔片１２３，１２４には、上側の左右方向全長にわたるフラップ１５ｂが設けられている。これらのフラップは、組み立て時に折り曲げられる。
【００１７】
底部片１３１〜１３４は、組み立て時に底部２３を構成するものであり、下端部に三角形状の切欠を設けた長方形状のもの１３１，１３３と、逆台形状のもの１３２，１３４が交互に設けられ、これらを組み合わせてロックボトムを構成できるようにしている。なお、底部２３を、蓋部２２と同様に、複数枚の片を重ねて留め具で固定するようにしてもよい。
また、本体部１１の上側の縁から上方には、隣接する有孔片１２１〜１２４間に跨る切込み１６ａを設けており、下側の縁から下方には、隣接する底部片１３１〜１３４間に跨る切込み１６ｂを設けている。隣接する有孔片間に跨る切込み１６ａは、隣接する一方の有孔片側の縁から上方に延びて他方の有孔片側に直線状に左右方向に延び、そして他方の有孔片側の縁に至るものであり、隣接する底部片間に跨る切込み１６ｂは、隣接する一方の底部片側の縁から下方に延びて他方の底部片側に直線状に左右方向に延び、そして他方の底部片側の縁に至るものとしている。
【００１８】
前記各切込み１６ａ，１６ｂの両端間の縁には、左右方向の折り目線は設けられていないが、縦方向の折り目線が、前記各切込みの両端間の左右方向中央を通るようにしている。
【００１９】
なお、板材１の左端の本体部１１と切り込み１６ａ，１６ｂの左側は、右端に連結される突出部分１７ａとなっており、右端の有孔片１２４と底部片１３４に前記切り込みの左側の部分が嵌る凹部１７ｂ、１７ｃが設けられている。
【００２０】
この組立式透光照明装置を組み立てる場合は、まず本体部１１の下側の縁の折り目線で各底部片１３１〜１３４を折り曲げて、図２に示したようにロックボトム式の底部２３を形成する。この際、隣接する底部片１３１〜１３４間に跨る切込み１６ｂが、四角筒状本体２１の各角部の下方に延びる脚２３ａとなる。隣接する底部片１３１と１３２、と１３３と１３４の各重なり合う部分は、両面接着テープや接着剤等で接合するとよい。
【００２１】
次に、板材１の本体部１１を図１中の各縦方向の折り目線で折り曲げ、図３に示したような四角筒状本体２１を形成する。この際、図１中の板材１の左端の突出部分１７ａが折り曲げられて右端に重ねられ、両面接着テープや接着剤等で接合される。
【００２２】
次に、図４に示したように、本体部１１の上側の縁の折り目線で、蓋部２２の最下段となる有孔片１２１〜１２４を折り曲げ、順次、各有孔片１２１〜１２４を折り曲げて重ね、蓋部２２を形成する。この実施形態では、重ねる順序は、図１中の左右方向中央の縦方向の折り目線の右側の有孔片１２３、右端の有孔片１２４、左端の有孔片１２１、左右方向中央の縦方向の折り目線の左側の有孔片１２２の順としている。
【００２３】
そして、図５に示したように、蓋部２２を形成する各有孔片１２１〜１２４の４か所の重なった小孔１４ｂに留め具３を差し込んで、有孔片１２１〜１２４が重なった状態が保持されるようにする。留め具３は、合成樹脂製の頭部と軸部からなるものであり、頭部は小孔１４ｂより径が大きく、その下の軸部は小孔１４ｂに通すことができる径で、図示しないが軸部には１つ又は複数の周溝が形成されており、周溝に有孔片１２１〜１２４の小孔１４ｂの周囲部分が係合するようになっている。
【００２４】
最上段と最下段となる２つの有孔片１２２，１２３の小孔１４ｂは、その間の２つの有孔片１２１，１２４の小孔１４ｂより径が大きくなっているため、比較的スムーズに留め具３を差し込んでいくことや、抜き始めることができ、いったん留め具３を差し込むと、中間の２つの有孔片１２１，１２４の小孔１４ｂにしっかりと係合して、安定した保持状態となる。
【００２５】
蓋部２２の貫通孔２４には、電球等の光源４を出し入れすることができる。光源４を四角筒状本体２１内に固定するには、図６に示したように、針金等の線材５を、貫通孔２４を横切るように掛け渡し、電球ソケット６から延びるコードを絡ませるなどするとよい。なお、線材５の両端部を引っ掛けるための孔１８を各有孔片１２１〜１２４に設けておくとよい。
組み立てられた四角筒状本体２１の底部２３は、脚２３ａの内側に孔２３ｂが生じるため、この孔から空気が入り、上方の貫通孔２４から抜けて、光源４の熱を逃がすことができる。また、隣接する有孔片１２１〜１２４間に跨る切込み１６ａの内側部分は、四角筒状本体２１の各角部の上方に突出して装飾的な要素となる。
【００２６】
この組立式透光照明装置は、非使用時には、図７に示したように、表側、裏側にそれぞれ四角筒状本体２１の２面があらわれるように折り畳んで扁平にすることができる。前記本体部１１の左端の突出部分１７ａと右端、及び隣接する底部片１３１〜１３４どうしの重なり合う部分は、両面接着テープや接着剤等で接合されており、次に使用する場合は、扁平な状態から四角筒状に戻すだけですぐに使用できる状態になる。また、このような扁平な状態にして販売することができる。
【００２７】
以上がこの考案の好適な実施形態であるが、この考案は上述の実施形態の構成に限定されるものではなく、形状、寸法、材質等を適宜変更して実施することができる。
【符号の説明】
【００２８】
１  板材
１１  本体部
１２１〜１２４  有孔片
１３１〜１３４  底部片
１４ｂ  小孔
１６ｂ  底部片間に跨る切込み
２１  四角筒状本体
２２  蓋部
２３  底部
２３ａ  脚
２４  貫通孔
３  留め具
４  光源
【図１】
0003162613.tif 000003
【図２】
0003162613.tif 000004
【図３】
0003162613.tif 000005
【図４】
0003162613.tif 000006
【図５】
0003162613.tif 000007
【図６】
0003162613.tif 000008
【図７】
0003162613.tif 000009